(57)【要約】【課題】目的の漢字を検索するにあって、必ずしも該当漢字の部品或いは正確な部品を指定しなくても目的の漢字を検索でき、検索者の操作及び検索手順が単純で容易かつ迅速に目的の漢字を検索できることを目的とする。【解決手段】各漢字毎に該当漢字の検索用文字を記憶する漢字文字データファイル９と、入力部３と、出力部２と、指定された検索用文字を検索キーとして対応する漢字を漢字文字データファイル９から検索する漢字検索処理部４とを備え、検索用文字は該当漢字の構成部品、該当漢字の構成部品のよみ、該当漢字の構成部品と該当漢字に外観が類似する他の漢字や漢字以外の文字及び記号、該当漢字の構成部品と外観が類似する文字及び記号、該当漢字の構成部品を含む他の漢字、該当漢字の構成部品と外観が類似する文字を含む他の漢字から選択される１以上の文字又は記号が含まれることを特徴とする漢字検索装置１。【選択図】  図１
2008015781.tif 000002
【特許請求の範囲】
【請求項１】
各漢字毎に該当漢字の検索用文字を記憶する漢字文字データファイルと、
検索条件が入力される入力部と、
各種情報が出力される出力部と、
入力部を介して指定された検索用文字を検索キーとして対応する漢字を漢字文字データファイルから検索する漢字検索処理部とを備え、
検索用文字は関連文字と類推文字を含み、
関連文字には該当漢字の構成部品を含み、
類推文字には、該当漢字の構成部品のよみ、該当漢字と外観が類似する他の漢字や漢字以外の文字及び記号、該当漢字の構成部品と外観が類似する文字及び記号、該当漢字の構成部品を含む他の漢字、該当漢字の構成部品と外観が類似する文字を含む他の漢字から選択される１以上の文字又は記号が含まれることを特徴とする漢字検索装置。
【請求項２】
検索用文字は字解説明文を含むことを特徴とする請求項１記載の漢字検索装置。
【請求項３】
部首データファイルを備え、関連文字には当該漢字の部首を含むことを特徴とする請求項１又は２記載の漢字検索装置。
【請求項４】
ユーザーに検索キーたる検索用文字の入力を促すステップと、
入力された検索用文字で漢字関連文字データファイルを検索して、入力された検索用文字を備える漢字を抽出するステップと、
検索された漢字の一覧を出力部に出力するステップとを備え、
検索用文字は関連文字と類推文字を含み、
関連文字には該当漢字の構成部品を含み、
類推文字には、該当漢字の構成部品のよみ、該当漢字の構成部品と該当漢字に外観が類似する他の漢字や漢字以外の文字及び記号、該当漢字の構成部品と外観が類似する文字及び記号、該当漢字の構成部品を含む他の漢字、該当漢字の構成部品と外観が類似する文字を含む他の漢字から選択される１以上の文字又は記号が含まれることを特徴とする漢字検索方法。
【発明の詳細な説明】
【技術分野】
【０００１】
本発明は、漢字検索装置及び漢字検索方法に関し、特に検索キーとして部首以外に様々な文字が使用できる、漢字検索装置及び漢字検索方法に関する。
【背景技術】
【０００２】
現在多用されているパーソナルコンピュータ等のワードプロセッサ機能を備えた電子機器において、日本語文書の作成時に通常のキーボード操作では所望の漢字が得られないことがある。このような場合に、従来から目的の漢字の部首を検索キーとして検索を行う部首検索、目的の漢字の画数を検索キーとして検索を行う画数検索、マウス等を用いて手書きした文字を検索キーとして検索を行う手書き検索等により検索を行うことが行われている。
【０００３】
しかし、これらの検索方法は夫々利点があるものの、部首検索の場合には、多くの漢字が検索されてしまい、その中から目的の漢字を探すのに時間がかかるといった欠点や、目的の漢字のどの構成部分が部首であるのかがわからない場合などには検索が出来ないといった欠点があった。又、画数検索の場合には、画数が多い漢字では画数を数えることが煩雑であり、又、正確な画数がわからない漢字もあるので検索が出来ないといった欠点や、やはり多くの漢字が検索されてしまい、その中から目的の漢字を探すのに時間がかかるといった欠点があった。又、手書き検索では、操作が煩雑であり、又、意図しない漢字が検索されることが多々あり、しかも目的とする漢字が検索されないこともあるといった欠点があった。
【０００４】
そこで、部首検索の考えを進歩させて、部首が不明でも間単に目的の漢字の検索を行えるこことも目的として、漢字を複数の部分に分解して、この部分を検索キーとして用いる検索方法が提案されている。この部分には部首も含まれ、例えば漢字「村」の部分として「木」と「寸」、漢字「昭」の部分として「日」と「召」或いは「日」と「刀」と「口」が該当する。
【０００５】
このような検索方法として、各部品を含む漢字群を各部品毎に収納する文字部品辞書と、各部品毎に該部品に外観上類似する（関連する）部品群を収納する関連字辞典と、漢字が有する分解可能な部品群を各漢字毎に収納した文字構造辞典をＲＯＭに格納し、段階１で、目的の漢字の部品ａ、ｂに対して、関連字辞書を用いて関連部品のリストａ１、ａ２、ｂ１、ｂ２を検索し、段階２で段階１で検索された一方の部品ａ１等に対して文字部品辞書を用いて関連部品を含む漢字のリストを検索し、段階３で段階２で検索された漢字に対して文字構造辞書を用い複数の部品に分解して、複数の部品に分解した夫々の漢字に、段階１で検索された部品ｂ１等を含む漢字を検索し、部品ａ及びｂを含む漢字が検索され、その中から目的の漢字を選択して検索を行う方法が提案されている（例えば、特許文献１参照。）。
【０００６】
又、上記方法では、目的の部品を直接指定することが出来ない場合に、部品ａ、ｂを含む漢字Ａの部品ｂが漢字Ｂに含まれる場合、漢字Ｂ（部品ｂｃ）−部品ｃで部品ｂを求めて、上記段階１から３を行う検索方法も提案されている。
【０００７】
【特許文献１】特開２００１−１４２８７６号公報
【発明の開示】
【発明が解決しようとする課題】
【０００８】
しかし、上記従来の方法では、検索キーとして必ず部品を指定する必要があるので、部品に分解することが困難な漢字の場合や部品の読みがわからない場合には検索は困難であり、部品を指定するために複数の段階を経ることが必要な場合には手順が複雑化して煩雑であり、又、部品のみの入力が煩雑な場合もあった。更に、漢字をよく知らない人が用いることは出来なかった。又、指定した部品に対して全く不要な部品が検索されてしまい、結果として多くの漢字が検索され、その中から目的の漢字を探すのに時間がかかるといった欠点があった。又、複数の辞書を備えなければならず、検索手順も複数段階必要で複雑であり、構成及び手順が複雑であり、検索時間も長くかかった。
【０００９】
そこで、本発明は上記従来技術の問題点を解決し、目的の漢字を検索するにあって、必ずしも部品或いは正確な部品を指定しなくても目的の漢字を検索できることを目的とする。又、検索者の操作及び検索手順が単純で容易かつ迅速に目的の漢字を検索できることを目的とする。又、漢字をよく知らない人でも容易に検索が出来ることを目的とする。又、目的の漢字を確実に検索し、しかも最終的に検索される漢字が絞り込まれてその中から目的の漢字を探すのが容易且迅速とすることを目的とする。
【課題を解決するための手段】
【００１０】
上記課題を解決するための手段としての本発明は、各漢字毎に該当漢字の検索用文字を記憶する漢字文字データファイルと、
検索条件が入力される入力部と、
各種情報が出力される出力部と、
入力部を介して指定された検索用文字を検索キーとして対応する漢字を漢字文字データファイルから検索する漢字検索処理部とを備え、
検索用文字は関連文字と類推文字を含み、
関連文字には該当漢字の構成部品を含み、
類推文字には、該当漢字の構成部品のよみ、該当漢字と外観が類似する他の漢字や漢字以外の文字及び記号、該当漢字の構成部品と外観が類似する文字及び記号、該当漢字の構成部品を含む他の漢字、該当漢字の構成部品と外観が類似する文字を含む他の漢字から選択される１以上の文字又は記号が含まれることを特徴とする漢字検索装置である。
【００１１】
漢字文字データファイルには各漢字毎に検索キーとなる関連文字と類推文字を対応付けて記憶しているので、単純な装置構成とすることが出来、又、漢字文字データファイル内のみを検索すればよく、検索手順が単純で容易かつ迅速に目的の漢字を検索することができる。又、一度に総ての検索キーを検索可能なので、検索キーの入力は１回で済むと共に複雑な計算式等を指定することなく容易に検索キーの入力ができ検索者の操作手順が単純で容易かつ迅速に検索を行える。更に、様々な文字及び記号を検索キーとして使用できるので、必ずしも部品或いは正確な部品を指定しなくても検索でき、漢字をよく知らない人でも容易に検索が出来、最終的に検索される漢字が絞り込まれてその中から目的の漢字を探すのが容易且迅速となる。
【００１２】
そして、上記漢字検索装置において、検索用文字は字解説明文を含むことが好ましい。このような構成とすることで、関連文字と類推文字の把握が困難である場合、その指定が煩雑である場合等であっても、容易に検索を行うことが出来る。又、上記漢字検索装置において、部首データファイルを備え、関連文字には当該漢字の部首を含むことが好ましい。このような構成とすることで、より検索が容易となると共に、検索される漢字が絞り込まれる。
【００１３】
更に、ユーザーに検索キーたる検索用文字の入力を促すステップと、
入力された検索用文字で漢字関連文字データファイルを検索して、入力された検索用文字を備える漢字を抽出するステップと、
検索された漢字の一覧を出力部に出力するステップとを備え、
検索用文字は関連文字と類推文字を含み、
関連文字には該当漢字の構成部品を含み、
類推文字には、該当漢字の構成部品のよみ、該当漢字の構成部品と該当漢字に外観が類似する他の漢字や漢字以外の文字及び記号、該当漢字の構成部品と外観が類似する文字及び記号、該当漢字の構成部品を含む他の漢字、該当漢字の構成部品と外観が類似する文字を含む他の漢字から選択される１以上の文字又は記号が含まれることを特徴とする漢字検索方法である。
【発明の効果】
【００１４】
以上のような本発明によれば、必ずしも部品或いは正確な部品を指定しなくても目的の漢字を検索することが可能となった。又、検索者の操作及び検索手順が単純で容易かつ迅速に目的の漢字を検索できることが可能となった。又、漢字をよく知らない人でも容易に検索が出来ることが可能となった。又、目的の漢字を確実に検索し、しかも最終的に検索される漢字が絞り込まれてその中から目的の漢字を探すのが容易且迅速とすることが可能となった。
【発明を実施するための最良の形態】
【００１５】
以下本発明を図に従って詳細に説明する。図１は漢字検索装置１の構成を示す概略図であり、漢字検索装置１は各種情報を出力する出力部２と、ユーザーにより検索条件が入力される入力部３、プログラム上に形成された検索処理を行う漢字検索処理部４と、制御部１０により実行される各種プログラムやデータ等を記録するデータ記録部５と、データ記録部５に形成されている漢字文字データファイル９、制御部１０を備えて構成されている。制御部１０は記録部５に記録されているプログラムを実行することで各部を制御する。データ記録部５には部首データファイル８を形成させてもよい。
【００１６】
このような漢字検索装置１は図２に示すようなコンピュータ等の情報処理装置を利用してプログラム（ソフトウエア）により実現することが可能である。このコンピュータは制御部１０としてのコンピュータを制御するＣＰＵ１１、ＲＯＭやＲＡＭを含んで構成されるメモリ１２、出力部２としてのディスプレイ１３、プリンタ１４、入力部３としてのマウス１５及びキーボード１６、漢字検索処理部４としてのデータ記録部５に記録されたアプリケーションプログラム、データ記録部５としてのハードディスク１７、磁気テープ、磁気ディスク、光ディスク、光磁気ディスク等の各種情報記録媒体の読み書きの為の媒体読み書き装置１８、図示しない通信インターフェイス等からなり、バスを介して接続されている。
【００１７】
このようなコンピュータを漢字検索装置１の構成手段として機能させるためのアプリケーションプログラムやデバイスドライバ等の各種プログラム及び漢字関連文字データファイル９等は、媒体読み書き装置１８又は図示しない通信インターフェイスを通じて取り込まれてハードディスク１７に蓄積、形成され、必要に応じてハードディスク１７からメモリ１２にロードされ、ＣＰＵ１１により実行される。又、漢字検索装置１はユニコードの文字を入力部３を用いて入力させるものであり、ユニコードで対応された漢字を検索し、入力することを前提として説明する。勿論ユニコードに限定されず、ＪＩＳコードその他のコードを用いることとしてもよい。
【００１８】
部首データファイル８内には、部首毎に部首ＩＤ、部首、部首名、部首画数が対応付けられて記憶されている。部首ＩＤに対応付けられたフォントデータは部首データファイル８内に格納してもよいが、他のファイルに格納し、データ記憶部５に記憶させてもよい。漢字文字データファイル９内には、各漢字毎に、ユニコードと１個以上の検索用文字が対応付けられて記憶されている。勿論、同時に各漢字毎に、部首ＩＤ、部首内画数、総画数、音読み及び訓読みの読みをも対応付けて、部首検索、画数検索や読み検索を行えることとすることが好ましい。尚、ユニコードに対応付けられたフォントデータは漢字文字データファイル９内に格納してもよいが、他のファイルに格納し、データ記憶部５に記憶させてもよい。
【００１９】
検索用文字は検索キーとなるもので、関連文字と類推文字を含み、関連文字とは該当漢字に関連する文字であり、該当漢字の部首その他の該当漢字の構成部品、該当漢字の簡体字、繁体字、通行字、異体字、略字、旧字、俗字等が含まれ、類推文字とは、該当漢字の構成部品のよみ、該当漢字に外観が類似する他の漢字や漢字以外の文字及び記号、該当漢字の構成部品と外観が類似する文字及び記号、該当漢字の構成部品を含む他の漢字、該当漢字の構成部品と外観が類似する文字を含む他の漢字が含まれる。漢字関連文字データファイル９内に記憶される各漢字毎の検索用文字は１個以上の関連文字及び類推文字から選択される１以上の文字又は記号が含まれている。
【００２０】
該当漢字の構成部品は、漢字を１以上の部分に分解して得る漢字の構成部分であり、部首やつくり等が含まれ、例えば該当漢字が「嵌」である場合には「山」、「甘」、「欠」があり、「類」である場合には「米」、「大」、「頁」等がある。
【００２１】
該当漢字の構成部品のよみは、漢字を１以上の部分に分解して得る漢字の構成部分のよみであり、部首及びつくりの名前を含み、音読み、訓読みを含み、例えば該当漢字が「類」である場合には「こめ」、「べい」、「だい」、「ぺーじ」、「伸」である場合には、「にんべん」、「しん」、「雄」である場合には「む」、「ふるとり」等がある。このような文字及び記号を検索キーとして使用することにより、容易に構成部品を指定することが出来る。
【００２２】
該当漢字に外観が類似する他の漢字や文字及び記号は、例えば該当漢字が「奏」である場合には「奉」、「徴」である場合には「微」、「之」である場合にはひらがなの「え」、「乙」である場合にはローマ字の「Ｚ」等がある。このような文字及び記号を検索キーとして使用することにより、漢字の構成部品を特定できなくても検索できる。又、漢字の構成部品が多数あり、部品を特定する操作が煩雑である場合にも、総ての部品を指定することが不要であり、該当漢字に外観が類似する他の漢字や文字及び記号と一部の部品を指定することが出来、又、一部の部品のみを指定した場合に多数の漢字が検索されてしまい、その中から見つけ出すことが大変ということがない。
【００２３】
該当漢字の構成部品と外観が類似する文字及び記号は、構成部品と同一ではないが、外観上類似し、その文字や記号から該当漢字の構成部品が思い浮かぶものであり、ひらがな、カタカナ、欧文字、数字、該当漢字以外の漢字等が含まれ、例えば該当漢字が「国」である場合には、カタカナの「ロ」、「王」、「、（点）」があり、「帰」である場合には、カタカナの「リ」、「ヨ」があり、「修」である場合には、カタカナの「イ」、「タ」、「ミ」、記号の「｜（縦棒）」、数字の「１」等がある。このような文字及び記号を検索キーとして使用することにより、漢字の構成部品を特定できなくても検索でき、検索キーの指定がきわめて容易となる。
【００２４】
該当漢字の構成部品を含む他の漢字は、例えば該当漢字が「通」である場合には「道」、「桶」等があり、「奏」である場合には「奉」や「湊」等がある。このような漢字を検索キーとして使用することにより、一々部首又はつくりを指定しなくてもよく、キーボードのみで容易に検索キーを指定でき、又、漢字の構成部品を特定できなくても検索できる。
【００２５】
該当漢字の構成部品と外観が類似する文字を含む他の漢字は、例えば該当漢字が「垣」である場合には「坦」、「新」である場合には「斥」等である。このような漢字を検索キーとして使用することにより、知っている漢字が少なくても、目的の漢字を容易に検索することが出来る。
【００２６】
このように、類推文字とは該当漢字そのものではないが、視覚的、感覚的に該当漢字或いは該当漢字の部品と結びつけることが出来る文字、数字等を含む記号を含む。そして、類推文字を検索キーとして使用することにより、検索キーの決定が容易且迅速となり、曖昧検索が可能となる。
【００２７】
又、漢字文字データファイル９内には、各漢字毎に、漢字コードと字解説明文が対応付けられて記憶され、検索キーとして字解説明文を用いることとしてもよい。字解説明文とは、漢字を口頭で説明する際に用いる説明文であり、例えば該当漢字が「尋」である場合には、「カタカナのヨエロに漢字のスン」や「ヨエロスン」、該当漢字が「這」である場合には、「しんにょうに言語のゲン」等である。
【００２８】
従って、漢字文字データファイル９には、漢字「測」の場合、検索用文字として、該当漢字の構成部品の「貝」、「則」、「目」、「部首のさんずい」、該当漢字の構成部品のよみの「かい」、「のり」、「め」、「さんずい」、該当漢字に外観が類似する他の漢字の「側」や「則」、該当漢字の構成部品と外観が類似する漢字以外の文字及び記号のカタカナの「シ」、「ツ」、「リ」、「ハ」、該当漢字の構成部品を含む他の漢字の「河」、「財」、字解説明文として「さんずいにか貝にカタカナのり」等を記録することが出来る。
【００２９】
又、漢字「慕」の場合、検索用文字として、該当漢字の構成部品の「日」、部首のくさかんむり、該当漢字の構成部品のよみの「ひ」、「くさかんむり」、該当漢字に外観が類似する他の漢字の「幕」、該当漢字の構成部品と外観が類似する文字及び記号の「心」、カタカナの「ハ」、該当漢字の構成部品を含む他の漢字の「河」、「財」、「恭」等を記録することが出来る。
【００３０】
又、漢字「施」の場合、検索用文字として、該当漢字の構成部品の「方」、「也」、該当漢字の構成部品のよみの「ほう」、「なり」、該当漢字に外観が類似する他の漢字の「旅」、「族」、該当漢字の構成部品と外観が類似する文字及び記号のひらがなの「せ」、該当漢字の構成部品を含む他の漢字の「旅」、「族」、「地」等を記録することが出来る。
【００３１】
又、漢字「暹」の場合、検索用文字として、該当漢字の構成部品の「日」、部首の「（点が二つのしんにょう）」、該当漢字の構成部品のよみの「ひ」、該当漢字に外観が類似する他の漢字の「進」、該当漢字の構成部品と外観が類似する文字及び記号の部首の点がひとつのしんにょう、該当漢字の構成部品を含む他の漢字の「辷」、該当漢字の構成部品と外観が類似する文字を含む他の漢字の「返」等、字解説明文として「点二つのしんにょうに日に進の右」等を記録することが出来る。
【００３２】
又、漢字「槐」の場合、検索用文字として、該当漢字の構成部品の「木」、「鬼」、該当漢字の構成部品のよみの「き」、「おに」、「きへん」、該当漢字に外観が類似する他の漢字の「鬼」、該当漢字の構成部品と外観が類似する文字及び記号のカタカナの「ム」、「ル」、「田」、該当漢字の構成部品を含む他の漢字の「魅」や「魃」、字解説明文として「木片に鬼」等を記録することが出来る。
【００３３】
又、漢字「橘」の場合、検索用文字として、該当漢字の構成部品の「木」、「予」、「口」、「矛」、該当漢字の構成部品のよみの「き」、「じゅう」、「やわら」、「きへん」、該当漢字に外観が類似する他の漢字「桶」、該当漢字の構成部品と外観が類似する文字及び記号のカタカナの「マ」、「ル」等を記録することが出来る。
【００３４】
又、漢字「瞬」の場合、検索用文字として、該当漢字の構成部品の「目」、「ヰ」、「冖（部首のわかんむり）」、「舛」、該当漢字の構成部品のよみの「め」、「めへん」、該当漢字に外観が類似する他の漢字として「舜」、該当漢字の構成部品と外観が類似する文字及び記号のカタカナの「ノ」、「ツ」、「シ」、「ワ」、「タ」、該当漢字の構成部品を含む他の漢字の「燐」等を記録することが出来る。
【００３５】
漢字検索処理部４は制御部１０の制御のもとで、データ記録部５に記録された漢字文字データファイル９に対する処理を実行するもので、ユーザーに検索キーを選択させる選択画面を生成して出力部２において表示させ、入力部３で入力された検索キーに従って、検索キーに指定された検索用文字即ち関連文字又は／及び類推文字を検索キーとして有する漢字を漢字文字データファイル９から検索して、該当する漢字を抽出して、表示部２に検索結果画面５３で抽出された漢字として漢字の一覧を出力（表示）させる。ユーザーは表示された漢字の一覧から目的の漢字を選択する。
【００３６】
図５は漢字検索装置１における検索処理の概略の流れを示す図である。予め各漢字毎に該当漢字の検索用文字を記憶する漢字文字データファイル９をデータ記録部５に形成しておく。検索の開始要求がユーザーから入力部３を介してなされると、漢字検索処理部４は出力部２に図６で示す検索画面５１を表示させ、ユーザーに検索キーたる検索用文字の入力を促す（Ｓ１０１）。ユーザーは入力部２を介して１以上の検索用文字を検索画面５１の入力エリア５１１に入力し、検索開始ボタン５１２を指定する。漢字検索処理部４は検索キーの入力を確認し、記録部５に検索キーとして一時書き込み（Ｓ１０２）、検索キーを読み出して、読み出した検索キーで漢字文字データファイル９を検索して、総ての検索キーを同時に満たす、即ち総ての指定された検索用文字を備える漢字を抽出する（Ｓ１０３）。
【００３７】
漢字「測」を検索する場合、上述のように漢字文字データファイル９には、漢字「測」の漢字コードと対応付けられた検索キーとなる検索用文字としての「貝」、「則」、「目」、「部首のさんずい」、「側」、「則」、「シ」、「ツ」、「リ」、「ハ」、「河」、「財」、字解説明文としての「さんずいに貝にカタカナのリ」が記憶されている。ユーザーはキーボード１６を用いて適宜の検索用文字をディスプレイ１３に表示された図６に示す検索画面５１の検索用文字入力エリア５１１に入力する。部首を入力する場合には、部首ボタン５１３を指定する。漢字検索処理部４は部首ボタン５１３の指定に従い、部首データファイル８に記憶された部首を部首一覧表示画面でディスプレイ１３に表示し、ユーザーは検索用文字として選択する部首をマウス１５で指定する。漢字検索処理部４は該指定に従い入力エリア５１１に該選択された部首を入力する。又、ユーザーは字解エリア５１４、読みエリア５１５、総画数エリア５１６に夫々字解説明文、読み、総画数を入力してこれらを検索キーとして選択することも出来る。
【００３８】
漢字検索処理部４は検索用文字の数、種類に大小に関わらず、漢字文字データファイル９内のみを検索すればよく、字解説明文、読み、総画数が検索キーとして選択された場合であっても、漢字文字データファイル９内のみを検索すればよい。
【００３９】
次に、漢字検索処理部４は出力部２に、検索の一次結果として、図７に示す一次結果画面５２を表示させ、Ｓ１０３で検索して得た漢字の件数を表示し（Ｓ１０４）、ユーザーにこの件数の漢字を表示することを望むのか、再検索を望むのかの指示を要求する。ユーザーは検索数の漢字の出力を望む場合には、マウス１５を用い表示ボタン５２１を指定し、再検索を望む場合には、再検索ボタン５２２を指定する。漢字検索処理部４は入力部２を介したユーザーの指示に従い（Ｓ１０５）、再検索の指示を受けた場合にはＳ１０１に戻り、表示の指示を受けた場合には、図８に示す検索結果画面５３を表示して、検索された漢字の一覧を出力部２たるディスプレイ１３に表示させ（Ｓ１０６）、ユーザーに一覧から選択するように要求すると共に各種処理の指示を要求する（Ｓ１０７）。ユーザーは目的の漢字を発見した場合には、該目的の漢字「測」をマウス１５で指定すると共に、詳細表示ボタン５３１、コピーボタン５３２を指定するか、再検索ボタン５３３又は終了ボタン５３４の何れかをマウス１５で指定する。漢字検索処理部４は入力部２を介したユーザーの指示に従う（Ｓ１０８）。
【００４０】
漢字検索処理部４は詳細表示ボタン５３１が指定された場合、入力部２を介したユーザーの選択に従い、選択された漢字を検索キーとして漢字文字データファイル９を検索して、図９に示すように目的の漢字、そのユニコード、読み、総画数、部首等を漢字詳細情報画面５４にて出力部２に表示させ、選択された漢字の字形、コード、読み等の漢字詳細情報を表示し（Ｓ１０９）、漢字詳細情報の印刷の要否の指示をユーザーに要求する。ユーザーは印刷を要求する場合には、漢字詳細情報画面５４の印刷ボタン５４１をマウス１５で指定し、漢字検索処理部４はユーザーからの入力部２を介したユーザーの印刷指定に従い（Ｓ１１０）、出力部２たるプリンタ１４に出力させる（Ｓ１１１）。
【００４１】
漢字検索処理部４は詳細情報を出力後、又は印刷の要求がなくユーザーにより漢字詳細情報画面５４の戻るボタン５４２がマウス１５で指定された場合には、Ｓ１０６に戻り、検索結果画面５３を出力部２たるディスプレイ１３に表示させ、コピーの要否及び終了の指示をユーザーに要求する（Ｓ１０７）。ユーザーはコピーを要求する場合には、検索結果画面５３のコピーボタン５３２を指定し、終了を要求する場合には終了ボタン５３４を指定する。漢字検索処理部４はユーザーからの入力部２を介した指示に従い（Ｓ１０８）、ユーザーがコピーを要求する場合には漢字をメモリにコピーして（Ｓ１１２）、処理を終了する。ユーザーにより検索結果画面５３の再検索ボタン５３３が指定されて再検索の指示を受けた場合にはＳ１０１に戻る。
【００４２】
尚、Ｓ１０４及びＳ１０５のステップは適宜省略可能で、Ｓ１０３の処理の後Ｓ１０６の処理へ移行してもよい。又、Ｓ１０８からＳ１１１の各ステップは適宜省略してもよく、Ｓ１０７の後、漢字検索処理部４は入力部２を介したユーザーの選択に従い、選択された漢字をメモリにコピーして（Ｓ１１２）、処理を終了することとしてもよい。
【００４３】
このように本発明では漢字検索において、検索キーの入力は１回で済み、漢字の構成部品のみならず、類推文字を検索キーとして使用できるので、様々な文字及び記号を検索キーとして使用でき、しかも検索キーを指定するために、複雑な計算式等を指定することなく容易に検索キーの入力ができる。
【図面の簡単な説明】
【００４４】
【図１】本発明一実施例漢字検索装置の構成を示す概略図
【図２】本発明一実施例漢字検索装置をソフトウエアにより実現する為のコンピュータの構成の一例を示すブロック図
【図３】本発明一実施例漢字検索装置の漢字文字データファイルに記憶された漢字データ
【図４】本発明一実施例漢字検索装置の部首データファイルに記憶された部首データ
【図５】本発明一実施例漢字検索処理の流れを示すフロー図
【図６】本発明一実施例検索画面を示す図
【図７】本発明一実施例一次結果画面を示す図
【図８】本発明一実施例検索結果画面を示す図
【図９】本発明一実施例漢字詳細情報画面を示す図
【符号の説明】
【００４５】
１      漢字検索装置
２      出力部
３      入力部
４      漢字検索処理部
５      データ記録部
８      部首データファイル
９      漢字文字データファイル
１０    制御部
【図１】
2008015781.tif 000003
【図２】
2008015781.tif 000004
【図３】
2008015781.tif 000005
【図４】
2008015781.tif 000006
【図５】
2008015781.tif 000007
【図６】
2008015781.tif 000008
【図７】
2008015781.tif 000009
【図８】
2008015781.tif 000010
【図９】
2008015781.tif 000011